(57)【要約】【課題】  高音域での動作特性や薄型化に悪影響を及ぼさずに、振動板に許容される最大振幅量を増大させた「スピーカ」を提供すること。【解決手段】  スピーカ２１は、磁気回路２２と、ボビン２３に巻装されたボイスコイル２４と、ボビン２３の基端部に接着固定された振動板２５と、振動板２５の内周部を支持するダンパ２９と、振動板２５の外周部を外周エッジ部２６を介して支持するフレーム２７と、ダンパ２９の外周部を支持するカバー２８と、ボビン２３に冠着された防塵キャップ３０とを備えており、振動板２５の内周部に全周に亘って平坦な環形平坦部２５ａが設けられている。この環形平坦部２５ａの外径は、磁気回路２２のうち環形平坦部２５ａと対向する側の端面３３ｂの外径と同程度に設定されており、環形平坦部２５ａ上にダンパ２９の内周部や防塵キャップ３０の外周部が接着固定されている。【選択図】  図１
2005151318.tif 000002
【特許請求の範囲】
【請求項１】
ボビンに巻装されたボイスコイルと、該ボイスコイルが配置される磁気ギャップを有する磁気回路と、内周部を前記ボビンに連結して該ボビンを包囲する振動板と、前記磁気回路に固定されて前記振動板の外周部を外周エッジ部を介して支持するフレームと、前記振動板に対し前記磁気回路とは逆側に配置されて該振動板の内周部を支持するダンパとを備え、前記ボイスコイルへ通電することによって前記振動板が駆動されるスピーカにおいて、
前記振動板の内周部にその全周に亘って平坦な環形平坦部を設け、この環形平坦部の外径を、前記磁気回路のうち該環形平坦部に対向する側の端面の外径と同等またはそれ以上に設定したことを特徴とするスピーカ。
【請求項２】
請求項１の記載において、前記ボビンの開口端を蓋閉する防塵キャップを備え、該防塵キャップの外周部の底面を前記環形平坦部に接着固定したことを特徴とするスピーカ。
【請求項３】
請求項１または２の記載において、前記ダンパの内周部を前記環形平坦部に接着固定したことを特徴とするスピーカ。
【発明の詳細な説明】
【技術分野】
【０００１】
本発明は動電型のスピーカに係り、特に、薄型化が容易で車載用等に好適なスピーカに関する。
【背景技術】
【０００２】
従来より、円錐状の振動板の開口方向に磁気回路を配置し、この振動板でボビンをスカート状に包囲することにより、全体の高さ寸法を抑えた薄型化に好適な動電型スピーカが知られている（例えば、特許文献１参照）。
【０００３】
図３はかかる従来の動電型スピーカを示す断面図である。同図に示すスピーカ１は、磁気ギャップＧを有する磁気回路２と、ボビン３に巻装されて磁気ギャップＧ内に配置されたボイスコイル４と、円錐状のコーン紙等からなり内周部がボビン３の基端部に接着固定された振動板５と、磁気回路２に固定されて振動板５の外周部を外周エッジ部６を介して支持するフレーム７と、このフレーム７の外周部に固定されたカバー８と、内周部がボビン３の基端部に連結されて固定端側の外周部がカバー８に取着されたダンパ９と、ボビン３に冠着された防塵キャップ１０とによって主に構成されており、振動板５がボビン３をスカート状に包囲しているため全体の高さ寸法が抑えられている。また、磁気回路２は、ポールピース１１と、径方向に沿って着磁されてポールピース１１の外周部に固定された円環状のマグネット１２と、マグネット１２を包囲する円筒部１３ａを有してポールピース１１を載置固定したヨーク１３とによって構成される内磁型であり、マグネット１２とヨーク１３の円筒部１３ａとの間に磁気ギャップＧが形成されている。
【０００４】
このように構成されたスピーカ１は、図示せぬリード線を介してボイスコイル４に音声電流が通電されると、電磁力によりボイスコイル４が振動するので、ボビン３を介して振動板５が駆動されて振動し、ラジオ音声や各種記録媒体の再生音声などの拡声が行えるようになっている。
【特許文献１】特開平８−２３７７９４号公報（第３−４頁、図４）
【発明の開示】
【発明が解決しようとする課題】
【０００５】
前述した従来のスピーカ１は、ボビン３をスカート状に包囲する振動板５の一部が磁気回路２の図示上端面と近接している関係上、駆動時の振動板５に許容される最大振幅量Ａが小さく、その結果として、音量をあまり大きく設定することができないという問題があった。なお、最大振幅量Ａよりも大きな振幅で振動板５を振動させた場合、振動板５は磁気回路２（ヨーク１３）の図示上端面に当接するため損傷したり破損する危険性が高まる。また、図３において、外周エッジ部６を図示上方へ配置して振動板５のテーパ角度を大きくした場合、最大振幅量Ａを増大させることはできるが、テーパ角度が大きくなると高音域での振動板５の動作特性が劣化するため好ましくない。
【０００６】
本発明は、このような従来技術の実情に鑑みてなされたもので、その目的は、高音域での動作特性や薄型化に悪影響を及ぼさずに、振動板に許容される最大振幅量を増大させたスピーカを提供することにある。
【課題を解決するための手段】
【０００７】
本発明のスピーカは、ボビンに連結される振動板の内周部にその全周に亘って平坦な環形平坦部を設け、この環形平坦部の外径を該環形平坦部に対向している磁気回路の端面の外径と同等かそれ以上に設定することによって、環形平坦部と磁気回路の該端面との間隔が振動板に許容される最大振幅量となるようにした。このような構成を採用すると、環形平坦部よりも径方向外側では振動板が磁気回路と干渉しないので、高音域での動作特性や薄型化に悪影響を及ぼすことなく、振動板に許容される最大振幅量を増大させたスピーカを実現できる。
【発明の効果】
【０００８】
本発明のスピーカは、振動板の内周部に環形平坦部を設け、この環形平坦部よりも径方向外側では振動板が磁気回路と干渉しないようにしてあるので、高音域での動作特性や薄型化に悪影響を及ぼすことなく、振動板に許容される最大振幅量を増大させることができて、音量が不所望に制約されなくなる。
【発明を実施するための最良の形態】
【０００９】
本発明では、ボビンに巻装されたボイスコイルと、該ボイスコイルが配置される磁気ギャップを有する磁気回路と、内周部を前記ボビンに連結して該ボビンを包囲する振動板と、前記磁気回路に固定されて前記振動板の外周部を外周エッジ部を介して支持するフレームと、前記振動板に対し前記磁気回路とは逆側に配置されて該振動板の内周部を支持するダンパとを備え、前記ボイスコイルへ通電することによって前記振動板が駆動されるスピーカにおいて、前記振動板の内周部にその全周に亘って平坦な環形平坦部を設け、この環形平坦部の外径を、前記磁気回路のうち該環形平坦部に対向する側の端面の外径と同等またはそれ以上に設定した。
【００１０】
このように構成されたスピーカは、環形平坦部よりも径方向外側では振動板が磁気回路と干渉する虞がなくなるため、この環形平坦部とこれに対向する磁気回路の端面との間隔が振動板に許容される最大振幅量となる。したがって、スピーカの薄型化を損なうことなく、振動板に許容される最大振幅量を増大させることができて、音量を不所望に制約する必要がなくなる。また、最大振幅量を確保するために振動板のテーパ角度を大きくする必要もないので、高音域での振動板の動作特性も劣化しない。
【００１１】
上記の構成において、ボビンの開口端を蓋閉する防塵キャップを備え、この防塵キャップの外周部の底面を振動板の環形平坦部に接着固定すれば、防塵キャップの接着面積を無理なく増大させることができるため好ましい。
【００１２】
また、上記の構成において、ダンパの内周部を環形平坦部に接着固定すれば、ダンパを振動板に対して面接着できるため、接着強度を高められると共に接着作業も容易となる。
【実施例】
【００１３】
実施例について図面を参照して説明すると、図１は本実施例に係るスピーカの断面図、図２は図１中の矢印Ｐ部を拡大して示す説明図である。
【００１４】
図１に示すスピーカ２１は、磁気ギャップＧを有する磁気回路２２と、ボビン２３に巻装されて磁気ギャップＧ内に配置されたボイスコイル２４と、円錐状のコーン紙等からなりボビン２３の基端部に接着固定された振動板２５と、磁気回路２２に固定されて振動板２５の外周部を外周エッジ部２６を介して支持するフレーム２７と、このフレーム２７の外周部に固定されたカバー２８と、内周部がボビン２３の基端部に連結されて固定端側の外周部がカバー２８に取着されたダンパ２９と、ボビン２３に冠着された防塵キャップ３０とによって主に構成されており、振動板２５がボビン２３および磁気回路２２をスカート状に包囲しているため全体の高さ寸法が抑えられている。そして、振動板２５の内周部に全周に亘って平坦な環形平坦部２５ａが設けられており、この環形平坦部２５ａ上にダンパ２９の内周部や防塵キャップ３０の外周部が接着剤３４を用いて固定されている（図２参照）。本実施例では、ダンパ２９の内周部が環形平坦部２５ａと防塵キャップ３０との間に挟まれた状態で各部材が面接着されている。なお、環形平坦部２５ａの外径ｄ１は、磁気回路２２を構成している後述する円筒部３３ａの端面３３ｂの外径ｄ２と同等に設定されている。この磁気回路２２は、ポールピース３１と、径方向に沿って着磁されてポールピース３１の外周部に固定された円環状のマグネット３２と、マグネット３２を包囲する円筒部３３ａを有してポールピース３１を載置固定したヨーク３３とによって構成される内磁型であり、マグネット３２とヨーク３３の円筒部３３ａとの間に磁気ギャップＧが形成されている。ただし、磁気回路２２は外磁型であってもよい。
【００１５】
このように構成されたスピーカ本体２１は、図示せぬリード線を介してボイスコイル２４に音声電流が通電されると、電磁力によりボイスコイル２４が振動するので、ボビン２３を介して振動板２５が駆動されて振動し、ラジオ音声や各種記録媒体の再生音声などの拡声が行えるようになっている。
【００１６】
本実施例に係るスピーカ２１は、振動板２５の内周部に設けた環形平坦部２５ａの外径ｄ１が、この環形平坦部２５ａに対向している磁気回路２２の端面３３ｂの外径ｄ２と同等であることから、ボイスコイル２４に駆動されて振動板２５が大きく振動しても、振動板２５のうち環形平坦部２５ａよりも径方向外側の傾斜部分は磁気回路２２に当接する心配がない。つまり、このスピーカ２１においては、環形平坦部２５ａとこれに対向する磁気回路２２の端面３３ｂとの間隔Ｂが、振動板２５に許容される最大振幅量となっているため、装置全体の薄型化を損なうことなく最大振幅量を増大させることができ、音量を不所望に制約する必要がなくなる。また、最大振幅量を確保するために振動板２５のテーパ角度を大きくする必要もないので、高音域での振動板２５の動作特性（追従性）も劣化しない。しかも、振動板２５の内周部に環形平坦部２５ａが設けてあると、ダンパ２９の内周部や防塵キャップ３０の外周部を環形平坦部２５ａ上に載置して接着固定することができるため、ダンパ２９や防塵キャップ３０の接着面積が無理なく増大でき、組立性や信頼性が向上するという利点もある。
【００１７】
なお、振動板２５の環形平坦部２５ａを磁気回路２２の端面３３ｂよりも大径に設定しておいてもよいが、環形平坦部２５ａが大きすぎると高音域での振動板２５の動作特性に悪影響が及ぶ虞があるので、環形平坦部２５ａの外径は端面３３ｂの外径と同等か若干大きい程度が好ましい。
【図面の簡単な説明】
【００１８】
【図１】本発明の実施例に係るスピーカの断面図である。
【図２】図１中の矢印Ｐ部を拡大して示す説明図
【図３】従来例に係るスピーカの断面図である。
【符号の説明】
【００１９】
２１  スピーカ
２２  磁気回路
２３  ボビン
２４  ボイスコイル
２５  振動板
２５ａ  環形平坦部
２６  外周エッジ部
２７  フレーム
２８  カバー
２９  ダンパ
３０  防塵キャップ
３１  ポールピース
３２  マグネット
３３  ヨーク
３３ｂ  端面
３４  接着剤
Ｇ  磁気ギャップ
【図１】
2005151318.tif 000003
【図２】
2005151318.tif 000004
【図３】
2005151318.tif 000005